(57)【要約】【課題】音楽情報のコピー速度を高めるとともに、振動等の外乱が加わった場合においても、音楽情報の連続性を維持しつつ音楽情報のコピー記録を実現するデータ記憶再生装置を提供することを目的とする。【解決手段】データを格納する記憶手段１と、第１の速度でデータを記憶手段１に転送する第１のバスと、第１の速度よりも早い第２の速度でデータを記憶手段１に転送する第２のバスと、第１のバスと第２のバスとを切り替える切替手段５とにより、音楽情報のコピー速度を高めるとともに、振動等の外乱が加わった場合においても、音楽情報の連続性を維持しつつ音楽情報のコピー記録を実現する。【選択図】      図２
2006031840.tif 000002
【特許請求の範囲】
【請求項１】
データを格納する記憶手段と、
第１の速度でデータを該記憶手段に転送する第１のバスと、
該第１の速度よりも早い第２の速度でデータを該記憶手段に転送する第２のバスと、
前記第１のバスと前記第２のバスとを切り替える切替手段と、
を備えることを特徴とするデータ記憶再生装置。
【請求項２】
移動を検出する移動検出手段と、
該移動検出手段が移動中であることを検出した場合に、前記切替手段が前記第１のバスに切り替えて前記第１の速度で前記記憶手段にデータの転送を行うとともに、
該移動検出手段が移動中でないことを検出した場合に、前記切替手段が前記第２のバスに切り替えて前記第２の速度で前記記憶手段にデータの転送を行うことを特徴とする請求項１に記載のデータ記憶再生装置。
【請求項３】
発音手段を備えるとともに、前記データが音楽データであって、
前記第１の速度で該音楽データの転送を行うときには、前記発音手段から再生音を出力することを特徴とする請求項１または請求項２に記載のデータ記憶再生装置。
【請求項４】
前記移動検出手段が、パーキングブレーキが引かれているか否かにより、移動を検出することを特徴とする請求項２または請求項３に記載のデータ記憶再生装置。
【請求項５】
前記移動検出手段が、車速パルスを検出することにより、移動を検出することを特徴とする請求項２または請求項３に記載のデータ記憶再生装置。
【請求項６】
現在位置測位手段を備え、
前記移動検出手段が該現在位置測位手段により検出した位置情報に基づいて、移動を検出することを特徴とする請求項２または請求項３に記載のデータ記憶再生装置。
【請求項７】
外部電源入力端子を備え、
該外部電源入力端子に乾電池が接続されている場合には、前記第１の速度でデータの転送を行うことを特徴とする請求項１から６のいずれか１項に記載のデータ記憶再生装置。
【請求項８】
前記切替手段を前記第１のバスに切り替える操作手段をさらに備えたことを特徴とする請求項２から６のいずれか１項に記載のデータ記憶再生装置。
【発明の詳細な説明】
【技術分野】
【０００１】
本発明は、データを記憶し再生する装置に関し、特に、音楽データを記憶し再生する車載用あるいは携帯用に好適なデータ記憶再生装置に関する。
【背景技術】
【０００２】
現在の位置情報をＧＰＳ（ＧＰＳ：global  Positioning  System）衛星を利用して取得するＧＰＳ測位システムを備え、加えて、ＣＤ（ＣＤ：Compact  Disc）等の再生機能をも併せ持つ車載用あるいは携帯用の電子機器が知られている。こうした電子機器には、地図情報や音楽情報等のデータを記憶する大容量で、高速アクセスが可能なハードディスク（ＨＤＤ：Hard Disc Drive）が備えられている。
【０００３】
こうした機器に搭載されるＣＤ等の光ディスク再生装置は、光ピックアップから射出されるレーザー光を光ディスク上の情報ピットに合焦させて、情報の再生を行うため、振動等の外乱により、光学的な制御が不能となる場合がある。こうした問題は、近年の光ディスクの記録再生速度の高速化に伴って、さらに、深刻な問題となりつつある。
【０００４】
また、ＨＤＤについても、一般的なＨＤＤは、磁気ディスクを高速に回転させ、磁気ヘッドを、磁気ディスクが高速回転することにより生じる浮力によって非常に微少な距離だけ浮遊させ、この微少距離を保った非接触状態で情報の記録、再生動作を行うため、磁気ディスクの回転中に急激に回転が止まった場合や、大きな振動が生じた場合、磁気ディスク表面に磁気ヘッドが接触して、磁気ディスク表面に機械的な損傷を生じるおそれがある。そのため、例えば、大きな振動が生じた場合でも、その振動の影響を軽減する技術が開示されている（例えば、特許文献１参照。）。
【特許文献１】特開２００２−２８１８４２号公報
【発明の開示】
【発明が解決しようとする課題】
【０００５】
ところで、例えば、ＣＤ内の音楽情報を倍速再生しながら、この音楽情報をＨＤＤにコピー記録する場合を考えると、倍速再生された音楽情報を一旦、ＲＡＭ等に蓄えつつ、通常の再生速度でアナログ信号に変換するとともに、このアナログ信号をスピーカを介して発音する必要がある。このため、従来は、ＨＤＤに音楽情報をコピー記録するコピー速度を高速化できないという問題があった。
【０００６】
そこで、本発明は、上記事情を考慮し、例えば、音楽情報等のデータのコピー速度を高めるとともに、振動等の外乱が加わった場合においても、音楽情報等のデータの連続性を維持しつつ音楽情報等のデータのコピー記録を実現するデータ記憶再生装置を提供することを目的とする。
【課題を解決するための手段】
【０００７】
請求項１に記載の発明は、データを格納する記憶手段と、第１の速度でデータを該記憶手段に転送する第１のバスと、該第１の速度よりも早い第２の速度でデータを該記憶手段に転送する第２のバスと、前記第１のバスと前記第２のバスとを切り替える切替手段とを備えたことを特徴とする。
【０００８】
請求項２に記載の発明は、請求項１に記載されたデータ記憶再生装置において、移動を検出する移動検出手段と、該移動検出手段が移動中であることを検出した場合に、前記切替手段が前記第１のバスに切り替えて前記第１の速度で前記記憶手段にデータの転送を行うとともに、該移動検出手段が移動中でないことを検出した場合に、前記切替手段が前記第２のバスに切り替えて前記第２の速度で前記記憶手段にデータの転送を行うことを特徴とする。
【０００９】
請求項３に記載の発明は、請求項１または請求項２に記載されたデータ記憶再生装置において、発音手段を備えるとともに、前記データが音楽データであって、
前記第１の速度で該音楽データの転送を行うときには、前記発音手段から再生音を出力することを特徴とする。
【００１０】
請求項４に記載の発明は、請求項２または請求項３に記載のデータ記憶再生装置において、前記移動検出手段が、パーキングブレーキが引かれているか否かにより、移動を検出することを特徴とする。
【００１１】
請求項５に記載の発明は、請求項２または請求項３に記載のデータ記憶再生装置において、前記移動検出手段が、車速パルスを検出することにより、移動を検出することを特徴とする。
【００１２】
請求項６に記載の発明は、請求項２または請求項３に記載のデータ記憶再生装置において、現在位置測位手段を備え、前記移動検出手段が該現在位置測位手段により検出した位置情報に基づいて、移動を検出することを特徴とする。
【００１３】
請求項７に記載の発明は、請求項１から６のいずれか１項に記載のデータ記憶再生装置において、外部電源入力端子を備え、該外部電源入力端子に乾電池が接続されている場合には、前記第１の速度でデータの転送を行うことを特徴とする。
【００１４】
請求項８に記載の発明は、請求項２から６のいずれか１項に記載のデータ記憶再生装置において、前記切替手段を前記第１のバスに切り替える操作手段をさらに備えたことを特徴とする。
【発明の効果】
【００１５】
請求項１に記載の発明は、切替手段により、適宜、２つのバスを切替えてデータの転送を行うことにより、状況に応じたデータの転送速度を設定することができ、データ転送速度を高めることができるという効果がある。
【００１６】
請求項２に記載の発明は、移動検出手段によりデータ記憶再生装置が移動中か否かが検出され、移動中である場合には遅い転送速度の第１のバスでデータが転送され、移動中でない場合には第１のバスよりも転送速度が早い第２のバスでデータが転送される。このように、移動中には、データの転送速度を低速（第１のバス）に変更するため、特に、移動中に問題となる振動等の外乱が生じても、これによる影響を低減させ、データの連続性を維持できるという効果がある。
【００１７】
請求項３に記載の発明は、データ転送速度を低速（第１のバス）とした場合には、データの転送を行うとともに、転送されるデータの再生音を聞くことができるという効果がある。
【００１８】
請求項４に記載の発明は、パーキングブレーキが引かれているか否かを検出することにより、移動中であるか否かを確実に検出することができるという効果がある。
【００１９】
請求項５に記載の発明は、車両のタイヤの回転に伴って発生する車速パルスを検出することにより、移動中であるか否かを確実に検出することができるという効果がある。
【００２０】
請求項６に記載の発明は、現在位置測位手段により得られた位置情報に基づいて、時間経過に伴う位置情報の変化を検出することにより、移動中であるか否かを確実に検出することができるという効果がある。
【００２１】
請求項７に記載の発明は、乾電池により駆動されている場合には、データ転送速度を低速（第１のバス）とすることにより、消電力化を図ることができるという効果がある。また、乾電池により駆動されている場合には、本装置が携帯されていると判断できるため、データ転送速度を低速（第１のバス）とすることにより、特に、移動中に問題となる振動等の外乱が生じても、これによる影響を低減させ、データの連続性を維持できるという効果がある。
【００２２】
請求項８に記載の発明は、操作手段を用いることにより、例えば、移動中でない場合であっても、データ転送速度を低速（第１のバス）とすることにより、転送されるデータの再生音を聞くことができるという効果がある。
【発明を実施するための最良の形態】
【００２３】
次に、本発明の一実施形態に係るについて、図面を参照して説明する。
【００２４】
本発明の実施形態に係るデータ記憶再生装置は、図１に示すように、ＨＤＤ１（記憶手段）と、現在位置測位手段２と、光ディスク再生手段３と、入力部４（操作手段）と、スイッチ５（切替手段）と、ＲＡＭ６と、デコーダ７と、スピーカ８（発音手段）と、ＲＯＭ９と、ＲＡＭ１０と、表示部１１と、車速パルス端子１２と、パーキング端子１３と、変圧回路１４と、外部電源入力端子１５と、電池端子１６と、シガーライター用アダプタ１８と、商用電源用アダプタ１９と、制御回路２０（移動検出手段）とから構成されている。
【００２５】
ＨＤＤ１は、地図情報や音楽情報等のデータを格納する磁気記録媒体であり、大容量でありかつ、高速アクセスが可能であるという特徴を有している。
【００２６】
現在位置測位手段２は、図示しない角度や速度センサおよびＧＰＳ受信機を備え、これらから得られる情報に基づいて自車の位置情報あるいは自己の位置情報を検出し、この自車位置情報あるいは自己の位置情報を表示部１１の画面上に表示された地図上にカーソル表示等して、自車の位置情報あるいは自己の位置情報をユーザに提供する。
【００２７】
光ディスク再生手段３は、ＣＤやＤＶＤといった光ディスクを図示しない光ピックアップにより光学的に読み出して、音楽情報や地図情報等の再生を行う。
【００２８】
入力部４は、ボタンやタッチパネル等で構成され、ユーザが各機能を実行させるための指示入力を行うものである。本実施形態においては、例えば、自動車や装置が移動中でない場合にも、ユーザが音楽データの再生を望む場合に、データ転送用バスを低速の第１のバスに切替えるよう指示する場合に用いられる。
【００２９】
スイッチ５は、制御回路２０からＨＤＤ１にデータを転送するデータバスを、制御回路２０からの制御信号に基づいて適宜切替える。なお、データバスは、音楽データの場合、データライン、シリアルクロックラインおよびＬＲクロック等で構成されており、高速転送用バスと低速転送用バスとが用意されている。
【００３０】
ＲＡＭ６は、低速転送用バスが選択されているときに、ＨＤＤ１に転送されるデータを一時的に格納する記憶素子であり、例えば、光ディスク再生手段３において倍速再生されたデータを入力し、制御回路２０の制御により、この入力データを通常速度で後段のデコーダ７に出力する。また、光ディスクの再生データを一時的に記憶することにより、例えば、大きな振動等により、光ディスク再生手段３の光学的な制御が一時不能となって、再生データの連続性が失われた場合でも、すでに格納されている再生データを用いることにより、違和感のない再生音をユーザに提供する等の役割も果たしている。
【００３１】
デコーダ７は、ＲＡＭ６からデジタルオーディオデータを入力し、この入力データの誤り訂正や復調処理を行った後、これをアナログデータに変換してアナログオーディオ信号をスピーカ８に出力する。
【００３２】
スピーカ８は、入力したアナログオーディオ信号を外部に発音するための装置である。
【００３３】
ＲＯＭ９は、システム全体を制御するための制御プログラムや各種データ等を格納する記憶素子である。
【００３４】
ＲＡＭ１０は、システム全体の制御に必要なデータ等を一時的に格納する記憶素子である。
【００３５】
表示部１１は、例えば、ＬＣＤ等で構成され、各種機能メニューや地図情報等を表示する。
【００３６】
車速パルス端子１２は、例えば、自動車の走行速度に比例して、周波数が高くなる矩形波状の、いわゆる車速パルスを入力するための端子である。
【００３７】
パーキング端子１３は、自動車のパーキングブレーキと接続するための端子であって、「Ｈ」、「Ｌ」２値の信号により、パーキングブレーキのＯＮ、ＯＦＦを検出することができる。
【００３８】
変圧回路１４は、いわゆるＤＣ−ＤＣコンバータであり、入力したＤＣ電圧を所望の電圧値のＤＣ電圧に変換する。
【００３９】
外部電源入力端子１５は、シガーライター用アダプタ１８や商用電源用アダプタ１９等から外部電源を入力するための端子である。
【００４０】
シガーライター用アダプタ１８は、シガーライター端子から供給される直流１２Ｖの電圧を直流９Ｖの電圧に変換し、商用電源用アダプタ１９は、商用電源である交流１００Ｖの電圧を直流１０．５Ｖの電圧に変換する。
【００４１】
電池端子１６は、充電式乾電池１７（バッテリー）を本体に接続するための端子であって、充電式乾電池１７から直流７．２Ｖの供給を受ける。
【００４２】
制御回路２０は、システム全体をＲＯＭ９内に格納された制御プログラムにしたがって制御する。本実施形態においては、特に、パーキング端子１３や車速パルス端子１２等からの信号に基づいて、自動車や装置の移動を検出し、この情報に基づいてスイッチを制御して、データの転送速度を可変する。また、ユーザの指示に応じて、システムの動作を制御する。
【００４３】
次に、図２を用いて、本実施形態の動作の詳細について説明する。
【００４４】
まず、ユーザが光ディスク再生手段３に光ディスクを挿入し、あるいは、すでに挿入されている光ディスクに対して、入力部４から再生動作の指示を制御回路２０に送出すると、光ディスクが回転して、光ピックアップの作用により、光ディスクからデータが光学的に読み出されて再生される。なお、再生速度は、通常の再生速度よりも早い倍速再生である。
【００４５】
制御回路２０は、ユーザから光ディスクの再生指示を入力すると、同時に、データの転送要求があるか否かを確認する（ステップ１０１）。制御回路２０がデータの転送要求があると判断したときには、続いて、移動中であるかどうかを確認する（ステップ１０２）。なお、制御回路２０がデータの転送要求がないと判断したときには、データの転送要求をモニタしながら、光ディスクの再生を続行させる。
【００４６】
移動中であるか否かは、例えば、以下の方法により行う。
【００４７】
まず、第１の方法としては、自動車のパーキングブレーキと接続されているパーキング端子１３をモニタして、パーキングブレーキのＯＮ／ＯＦＦを検出する。そして、パーキングブレーキがＯＮ、すなわち、パーキングブレーキがかかっているときには、自動車が停止していると判断し、パーキングブレーキがＯＦＦ、すなわち、パーキングブレーキがかかっていないときには、自動車が移動していると判断する。
【００４８】
第２の方法としては、自動車の速度センサと接続されている車速パルス端子１２をモニタして、車速パルスの有無を検出する。そして、車速パルス端子１２に車速パルス信号が入力されていないとき、すなわち、自動車の速度センサから信号が出力されていないときには、自動車が停止していると判断し、車速パルス端子１２に車速パルス信号が入力されているとき、すなわち、自動車の速度センサから信号が出力されているときには、自動車が移動していると判断する。
【００４９】
第３の方法としては、現在位置測位手段２から得られる自車（あるいは装置）の位置情報をモニタして、直前の位置情報と現在の位置情報とを比較して自動車（あるいは装置）の移動を検出する。すなわち、所定の時間間隔で入力される現在位置測位手段２からの位置情報を順次比較して、前後の位置情報に変化がない場合には、自動車（あるいは装置）が停止していると判断し、前後の位置情報に変化がある場合には、自動車（あるいは装置）が移動していると判断する。なお、現在位置測位手段２から得られる自車（あるいは装置）の位置情報には、現在位置測位手段２の特性上、いくらかの誤差を含んでいる。したがって、前後の位置情報の判断においては、これらの誤差を予め見込んで、自動車（あるいは装置）の移動の有無を検出する必要がある。
【００５０】
第４の方法としては、充電式乾電池１７と接続されている電池端子１６をモニタして、電源の供給を外部の充電式乾電池１７から受けているか否かを検出する。そして、電源の供給を外部の充電式乾電池１７から受けているときには、本発明のデータ記憶再生装置が携帯用に供され、移動していると判断し、電源の供給を外部の充電式乾電池１７から受けていないときには、データ記憶再生装置が移動していないと判断する。なお、自動車あるいはデータ記憶再生装置が移動中であるか否かを判断する方法をいくつか示したが、これらの方法は、その判断にあたって単独で用いてもよいし、いくつかの方法を組み合わせて総合的に判断してもよい。
【００５１】
上記、いずれかの方法により、自動車あるいはデータ記憶再生装置が移動中であると判断した場合には、制御回路２０がスイッチ５をＲＡＭ６側、すなわち、データの転送速度が遅い第１のバスに切替える（ステップ１０４）。そして、制御回路２０からＲＡＭ６にデータが出力される（ステップ１０５）。ＲＡＭ６に入力されたデータは、制御回路２０の制御により通常の再生速度でデコーダ７に出力されるとともに、ＨＤＤ１に対してもデータの転送が実行される（ステップ１０６）。デコーダ７では、入力したデータに対して、誤り訂正や復調処理等を行い、その後、データをアナログ信号に変換してスピーカ８に供給する。スピーカ８は、入力したアナログ信号を外部に発音する。これにより、ユーザは、データの転送を行いながら、光ディスク内に記録された音楽を聴くことができる。また、ＨＤＤ１に入力されたデータは、所定のメモリエリアに順次格納され、記憶される（ステップ１０８）。
【００５２】
一方で、自動車あるいは装置が移動中でないと判断した場合には、次に、ユーザからデータの低速転送、すなわち、第１のバスを用いたデータ転送が要求されているか否かが判断される（ステップ１０３）。判断の結果、ユーザからの指示がある場合には、ステップ１０４に移行して処理を行う。また、判定の結果、ユーザからの指示がない場合には、制御回路２０がスイッチ５をＨＤＤ１側、すなわち、データの転送速度が速い第２のバスに切替える（ステップ１０７）。データがＨＤＤ１に転送され、ＨＤＤ１に転送されたデータは、早い転送速度で、所定のメモリエリアに順次格納処理され、記憶される（ステップ１０８）。
【００５３】
したがって、本実施形態によれば、転送速度の異なる２つのデータバスと、このデータバスを切替えるスイッチを設けたことから、状況に応じて、適宜に、ＨＤＤ１へのデータの転送速度を可変することができる。
【００５４】
以上、図面を参照して本発明の実施の形態について詳述してきたが、具体的な構成はこれらの実施形態に限られるものではなく、この発明の要旨を逸脱しない範囲の設計変更等も含まれる。
【図面の簡単な説明】
【００５５】
【図１】本発明の携帯電話装置の構成図である。
【図２】本発明の携帯電話装置の処理フローチャートである。
【符号の説明】
【００５６】
１    ＨＤＤ（記憶手段）
２    現在位置測位手段
３    光ディスク再生手段
４    入力部
５    スイッチ（切替手段）
６    ＲＡＭ
７    デコーダ
８    スピーカ（発音手段）
９    ＲＯＭ
１０    ＲＡＭ
１１    表示部
１２    車速パルス端子
１３    パーキング端子
１４    変圧回路
１５    外部電源入力端子
１６    電池端子
１８    シガーライター用アダプタ
１９    商用電源用アダプタ
２０    制御回路（移動検出手段）
【図１】
2006031840.tif 000003
【図２】
2006031840.tif 000004